(57)【要約】【課題】本発明は、汎用性があり、電磁遮蔽性の高いワイヤーハーネスの被覆部材を提供する。【解決手段】本ワイヤーハーネスの被覆部材では、電磁遮蔽効果を有し可撓性の高いシールド部材と、ドレーン線と、をテープ状に一体的に形成し、片側面に粘着部を形成する。【選択図】  図４
2013115248.tif 000002
【特許請求の範囲】
【請求項１】
電磁遮蔽効果を有し可撓性の高いシールド部材と、ドレーン線と、をテープ状に一体的に形成し、
片側面に粘着部を形成することを特徴とするワイヤーハーネスの被覆部材。
【発明の詳細な説明】
【技術分野】
【０００１】
本発明は、車種等使用対象にとらわれず汎用性があり、携帯性も高いワイヤーハーネスの被覆構造に関する。
【背景技術】
【０００２】
ワイヤーハーネスは、例えば車両における複数の電線をチューブや粘着テープなどでまとめ、端部に複数の電線を一度に接続できるようにすることで電線の束が占める空間を小さくするものであるが、その中でも車両ハーネスの一部回路に使用される耐ノイズ用のシールド電線では、電線に銅箔やアルミ箔等のシールド部材を巻き付けてその周りをチューブ状の絶縁外皮で被覆する構成のものがある。例えば、国際公開公報第２００４／０１５８２２号では、アルミ箔であるシールド部材とアース用のドレーン線と被覆電線とを一体で成型するワイヤーハーネスの構造が開示されている。
【０００３】
しかしながら、特許文献１のワイヤーハーネスの構造の場合、一般電線に比べて構造が複雑であり車両等使用対象ごとの専用品となり汎用性がないためコストが増大するという問題がある。一方、汎用的なワイヤーハーネスの構造としてシールドテープを電線に巻き付けることで複数の電線をまとめ耐ノイズ性を確保する方法も存在する。シールドテープはシールド部材と粘着部材とを積層させて形成したテープ状のものである。
【０００４】
しかしながら、このワイヤーハーネスの構造の場合、アース目的のドレーン線が存在しておらず電磁遮蔽効果が必ずしも高いとは言い難いものであった。
【先行技術文献】
【特許文献】
【０００５】
【特許文献１】国際公開公報第２００４／０１５８２２号
【発明の開示】
【発明が解決しようとする課題】
【０００６】
本発明は、以上の事情に鑑みて創作されたものであり、耐ノイズ性を確保しつつ車種等使用対象にとらわれずに汎用性を有し、さらには携帯性の高い電磁遮蔽効果を有するワイヤーハーネスの被覆部材を提供することを目的とする。
【課題を解決するための手段】
【０００７】
上記目的を達成するために本発明では、電磁遮蔽効果を有し可撓性の高いシールド部材と、ドレーン線と、をテープ状に一体的に形成し、片側面に粘着部を形成するワイヤーハーネスの被覆部材を提供する。
【０００８】
本発明のワイヤーハーネスの被覆部材は、従来のシールドテープ（被覆テープ）に対応するものであり、シールドを電線に巻いてまとめる使い方をするものである。このワイヤーハーネスの被覆部材は、銅箔やアルミ箔のような電磁遮蔽効果の高く可撓性の高いシールド部材とアースの役割を有するドレーン線とを内含して一体形成したテープ状のものである。したがって、複数の電線に巻き付けるだけで耐ノイズ性が高く、アース取りが可能なワイヤーハーネスの被覆部材を作ることができる。
【０００９】
また、本ワイヤーハーネスの被覆部材では、専用品を作ることを要さず必要な電線数を所望箇所だけ電磁遮蔽することができる。したがって、部品点数を削減することができ、コストも低減し得る。
【発明の効果】
【００１０】
本発明のワイヤーハーネスの被覆部材は、耐ノイズ性を確保しながらも使用対象にとらわれず汎用性を有し、従来のシールドテープと同等なため携帯性も高い。さらに、本ワイヤーハーネスの被覆部材では、電磁遮蔽効果を有する構造を提供し得る。また、本ワイヤーハーネスの被覆部材では、専用品を作ることを要さず必要な電線数を所望箇所だけ電磁遮蔽することができる。したがって、部品点数を削減することができ、コストも低減し得る。
【図面の簡単な説明】
【００１１】
【図１】従来のワイヤーハーネスの構造を示した略図である。
【図２】従来のワイヤーハーネスの被覆部材および関連部品を示しており、（ａ）はリールに巻き取られている段階での被覆部材、（ｂ）はその被覆部材の断面、（ｃ）は電線に被覆部材を巻き付けてワイヤーハーネスを示している。
【図３】本発明のワイヤーハーネスの被覆部材および関連部品を示しており、（ａ）はリールに巻き取られている段階での被覆部材、（ｂ）はその被覆部材の断面、（ｃ）は電線にシールドテープを巻き付けてワイヤーハーネスを示している。
【図４】図３に示すワイヤーハーネスの被覆部材の２つの構成例の断面図を示している。
【発明を実施するための形態】
【００１２】
続いて、本発明の一実施形態に係るワイヤーハーネスの被覆部材について、図面を参照しつつ詳細に説明する。なお、本ワイヤーハーネスの被覆部材の説明に先立って、従来のワイヤーハーネスの構造および関連部品について概略を説明する。
【００１３】
図１は従来のワイヤーハーネスの一例を示している。このワイヤーハーネス１００では複数の電線１０２とドレーン線１０８とをシールド部材１０４で被覆し、その上から絶縁ケーブル１０６で被覆している。電線１０２は銅線等の導体１０２ａを絶縁体１０２ｂで被覆して形成している。シールド部材１０４は電磁遮蔽効果を有する材質であり、金属箔やワイヤメッシュで形成される。このシールド部材１０４は外部からのノイズ信号を遮蔽するものである。また、最外側の絶縁ケーブル１０６は通常、樹脂材料で形成される。さらに、絶縁ケーブル１０６やシールド部材１０４は、電線１０２とともにアース用のドレーン線１０８も被覆するためノイズ信号が進入しても外部に放出することができる。
【００１４】
このような型式のワイヤーハーネス１００の場合、複数の電線１０２をシールド部材１０４や絶縁ケーブル１０６でまとめる構成を有するが、一般電線に比べて構造が複雑であり絶縁ケーブル１０６の内径は製品ごとに決まってしまうため予め定められた電線の太さや本数に応じた専用品とならざるを得ない。したがって、図１のワイヤーハーネスでは汎用性がなくコストが増大する。
【００１５】
一方、図２では、他の従来型のワイヤーハーネスの被覆部材２０１（以下、「シールドテープ２０１」と称する）および関連部品を示しており、（ａ）はリール２０７に巻き取られている段階でのシールド部材２０４、（ｂ）は（ａ）のラインＡ−Ａに沿ったシールドテープ２０１の断面、（ｃ）は電線２０２にシールドテープ２０１を巻き付けたワイヤーハーネス２００を示している。図２（ａ）に示すようにシールドテープ２０１は通常、リール２０７に巻き取られており、端側から剥がして使用する。また、図２（ｂ）から判るようにシールドテープ２０１は、下から順に粘着部２０３、シールド部材２０４、絶縁部２０６を積層して形成している。粘着部２０３は、汎用の両面テープのような粘着材を塗布したテープ状のものであり、シールド部材２０４は図１の説明で既述したような電磁遮蔽効果を有するアルミ箔や銅箔等の金属箔で形成されている。また、絶縁部２０６は絶縁体であり、通常、樹脂材料で形成される。
【００１６】
実際にはこのようなシールドテープ２０１を複数の電線２０２を束ねて巻き付けて使用する。これにより図２のワイヤーハーネス２００の場合、図１のワイヤーハーネス１００と同様に外部ノイズ信号や電気を遮断し得ることができるだけでなく、種々の太さ、本数の電線２０２に応じてその都度、シールドテープ２０１を巻くだけでワイヤーハーネスの被覆部材２００を作成することができ、汎用性が高い。その反面、このワイヤーハーネス２００ではアース用のドレーン線が存在していないため電磁遮蔽性が必ずしも高いとはいえない。なお、電線２０２は図１のワイヤーハーネス１００と同様に銅線等の導体２０２ａを絶縁体２０２ｂで被覆して形成している。
【００１７】
《本発明のワイヤーハーネスの被覆部材の実施形態》
図３では、本発明のワイヤーハーネスの被覆部材１１（以下、「シールドテープ１１」と称する）および関連部品を示しており、図２同様、（ａ）はリール１７に巻き取られている段階でのシールド部材１４、（ｂ）は（ａ）のラインＡ−Ａに沿ったシールドテープ１１の断面、（ｃ）は電線１２にシールドテープ１１を巻き付けたワイヤーハーネス１０を示している。図２（ａ）に示すようにシールドテープ１１は通常、リール１７に巻き取られており、端側から剥がして使用する。また、図２（ｂ）から判るようにシールドテープ１１は、絶縁部１６の中に、シールド部材１４とドレーン線１８とを含んでいる。シールド部材１４は図２同様、電磁遮蔽効果を有するアルミ箔や銅箔等の金属箔で形成されている。また、絶縁部１６は絶縁体であり、通常、樹脂材料で形成される。
【００１８】
図４を参照すれば、シールドテープ１１の２つの具体例の断面図を示している。
図４（ａ）は、図３（ｂ）のシールドテープ１１の断面図であり、絶縁部１６の間でシールド部材１４とドレーン線１８とを挟み込んでいる。絶縁部１６は、別途分離した２枚の上部絶縁部１６ａと下部絶縁部１６ｂとで構成されている。下部絶縁部１６ｂには粘着部１３が貼り付けられている。
【００１９】
一方、図４（ｂ）は、図４（ａ）のシールドテープ１１の変形例であり、絶縁部１６の間でシールド部材１４とドレーン線１８とを挟み込んでいる点では同様であるが、絶縁部１６が、一体に形成され、幅方向に折り曲げられて形成されている点が図４（ａ）と相違する。また、絶縁部１６の幅方向半分程度までの片面には粘着部１３‘が貼り付けられている。
【００２０】
なお、粘着部１３、１３’が、汎用の両面テープのような粘着材を塗布したテープ状のものである点は図１〜２の場合と同様である。また、、図４（ａ）（ｂ）の電線１２についても図１〜図２のワイヤーハーネス１００、２００と同様に銅線等の導体１２ａを絶縁体１２ｂで被覆して形成している。
【００２１】
実際にはこのようなシールドテープ１１を複数の電線１２を束ねて巻き付けて使用する。これによりワイヤーハーネス１０は、種々の太さ、本数の電線１２に応じてその都度、シールドテープ１１を巻くだけでワイヤーハーネスの被覆部材１０を作成することができ、汎用性が高い。さらに、このシールドテープ１１の場合、図２の場合と相違し、アース用のドレーン線１８が存在しているため内部にノイズ信号が進入しても外部に放出することができる。したがって、電磁遮蔽性も非常に高いものとなる。
【００２２】
以上、本発明のワイヤーハーネスの被覆部材についての実施形態およびその概念について説明してきたが本発明はこれに限定されるものではなく特許請求の範囲および明細書等に記載の精神や教示を逸脱しない範囲で他の変形例、改良例が得られることは当業者は理解できるであろう。
【符号の説明】
【００２３】
１０ ワイヤーハーネス
１１，１１‘  被覆部材（シールドテープ）
１２  電線
１３、１３‘  粘着部
１４  シールド部材
１６  絶縁部
１８  ドレーン線
【図１】
2013115248.tif 000003
【図２】
2013115248.tif 000004
【図３】
2013115248.tif 000005
【図４】
2013115248.tif 000006